(57)【要約】【課題】簡易な構造で、ビーム部材の拘束力を１点に集中しないように作用させることによって、大きな衝撃力にも抗し得るようにした木製ガードレールを提供すること。【解決手段】ビーム部材２の長手方向にスリット２１を形成し、このスリット２１に、支柱３から水平方向に延出させた板材からなる支持部材４の支持片４１を挿入し、ビーム部材２及び支持部材４の支持片４１を、両部材を鉛直方向に貫通する締結部材５により締結する。【選択図】図１
0003203607.tif 000002
【実用新案登録請求の範囲】
【請求項１】
丸太状の木材からなるビーム部材を、支柱間に架設するようにした木製ガードレールにおいて、前記ビーム部材の長手方向にスリットを形成し、該スリットに、支柱から水平方向に延出させた板材からなる支持部材の支持片を挿入し、ビーム部材及び支持部材の支持片を、両部材を鉛直方向に貫通する締結部材により締結してなることを特徴とする木製ガードレール。
【請求項２】
支持部材に、上下に複数の支持片を連結片で連結した一体構造とした支持部材を用い、該複数の支持片に、上下複数本のビーム部材を支持するようにしたことを特徴とする請求項１に記載の木製ガードレール。
【請求項３】
ビーム部材の長手方向の両端にスリットを形成し、隣接するビーム部材を共通の支持部材の支持片によって支持するようにしたことを特徴とする請求項１又は２に記載の木製ガードレール。
【請求項４】
ビーム部材の長手方向の中間部にスリットを形成し、ビーム部材を支持するようにしたことを特徴とする請求項１、２又は３に記載の木製ガードレール。
【考案の詳細な説明】
【技術分野】
【０００１】
本考案は、木製ガードレールに関し、特に、丸太状の木材からなるビーム部材を、支柱間に架設するようにした木製ガードレールに関するものである。
【背景技術】
【０００２】
従来、丸太状等の木材からなるビーム部材を、支柱間に架設するようにした木製ガードレールが提案され、実用化されている（例えば、特許文献１〜２参照。）。
【０００３】
これらの木製ガードレールは、鋼材で作成していたビーム部材を木材で作成することにより、林業において廃材として扱われていた間伐材を有効活用できることに加え、木質の外観により周囲の景観を損ないにくい状態でガードレールを設置することが可能となるという利点を有するものであった。
【先行技術文献】
【特許文献】
【０００４】
【特許文献１】特開２００４−８４２９５号公報
【特許文献２】特開２０１２−７４３０号公報
【考案の概要】
【考案が解決しようとする課題】
【０００５】
ところで、特許文献１〜２に記載された木製ガードレールは、丸太状等の木材からなるビーム部材を、ビーム部材を貫通するボルト部材を介して、支柱に配設した取付部材に取り付けるようにされている。
【０００６】
このため、上記従来の木製ガードレールは、ビーム部材の拘束力が、ビーム部材を貫通するボルト部材による１点に集中するため、例えば、車両が衝突に伴う大きな衝撃力に抗しきれず、ボルト部材による拘束箇所でビーム部材が破損して、車両の誘導機能が損なわれるという問題があった。
【０００７】
本考案は、上記従来の木製ガードレールの有する問題点に鑑み、林業において廃材として扱われていた間伐材を有効活用できることに加え、木質の外観により周囲の景観を損ないにくい状態でガードレールを設置することが可能となるという利点を享有しながら、簡易な構造で、ビーム部材の拘束力を１点に集中しないように作用させることによって、大きな衝撃力にも抗し得るようにした木製ガードレールを提供することを目的とする。
【課題を解決するための手段】
【０００８】
上記目的を達成するため、本考案の木製ガードレールは、丸太状の木材からなるビーム部材を、支柱間に架設するようにした木製ガードレールにおいて、前記ビーム部材の長手方向にスリットを形成し、該スリットに、支柱から水平方向に延出させた板材からなる支持部材の支持片を挿入し、ビーム部材及び支持部材の支持片を、両部材を鉛直方向に貫通する締結部材により締結してなることを特徴とする。
【０００９】
この場合において、支持部材に、上下に複数の支持片を連結片で連結した一体構造とした支持部材を用い、該複数の支持片に、上下複数本のビーム部材を支持するようにすることができる。
【００１０】
また、ビーム部材の長手方向の両端にスリットを形成し、隣接するビーム部材を共通の支持部材の支持片によって支持するようにすることができる。
【００１１】
ビーム部材の長手方向の中間部にスリットを形成し、ビーム部材を支持するようにすることができる。
【考案の効果】
【００１２】
本考案の木製ガードレールによれば、ビーム部材の長手方向にスリットを形成し、該スリットに、支柱から水平方向に延出させた板材からなる支持部材の支持片を挿入し、ビーム部材及び支持部材の支持片を、両部材を鉛直方向に貫通する締結部材により締結してなるようにすることにより、従来の木製ガードレールと同様に、林業において廃材として扱われていた間伐材を有効活用できることに加え、木質の外観により周囲の景観を損ないにくい状態でガードレールを設置することが可能となるという利点を享有しながら、簡易な構造で、ビーム部材の拘束力を、支柱から水平方向に延出させた板材からなる支持部材の支持片で面状に分散させることで、ビーム部材に１点に集中しないように作用させることができ、これによって、大きな衝撃力にも抗し得るようにすることができる。
【００１３】
また、支持部材に、上下に複数の支持片を連結片で連結した一体構造とした支持部材を用い、該複数の支持片に、上下複数本のビーム部材を支持するようにすることにより、上下複数本のビーム部材を一体的に支持するようにすることができる。
【００１４】
また、ビーム部材の長手方向の両端にスリットを形成し、隣接するビーム部材を共通の支持部材の支持片によって支持するようにすることにより、隣接するビーム部材の高さ位置を揃えて支持するようにすることができる。
【００１５】
また、ビーム部材の長手方向の中間部にスリットを形成し、ビーム部材を支持するようにすることにより、長尺のビーム部材を、ビーム部材の長手方向の中間部において支持するようにすることができる。
【図面の簡単な説明】
【００１６】
【図１】本考案の木製ガードレールの一実施例を示し、（ａ）は正面図、（ｂ）は側面図である。
【図２】同木製ガードレールに用いる部材を示し、（ａ）は支持部材の側面図、（ｂ）は同背面図、（ｃ）はブラケットの平面図、（ｄ）は同背面図である。
【図３】同木製ガードレールに用いる支持部材の斜視図である。
【図４】同木製ガードレールを正面側から見た斜視図である。
【図５】同木製ガードレールを背面側から見た斜視図である。
【図６】同木製ガードレールを上方側から見た斜視図である。
【考案を実施するための形態】
【００１７】
以下、本考案の木製ガードレールの実施の形態を、図面に基づいて説明する。
【００１８】
図１〜図６に、本考案の木製ガードレールの一実施例を示す。
この木製ガードレール１は、丸太状の木材からなるビーム部材２を、支柱３間に架設するようにしたもので、ビーム部材２の長手方向にスリット２１を形成し、このスリット２１に、支柱３から水平方向に延出させた板材からなる支持部材４の支持片４１を挿入し、ビーム部材２及び支持部材４の支持片４１を、両部材を鉛直方向に貫通する締結部材５により締結してなるものである。
【００１９】
この場合において、ビーム部材２には、林業において廃材として扱われている間伐材を有効活用できるほか、丸太状の各種木材を使用することができ、これにより、木質の外観により周囲の景観を損ないにくい状態でガードレールを設置することができる。
【００２０】
支持部材４は、上下に複数（本実施例においては、２個）の支持片４１を連結片４２で連結した一体構造とした支持部材４を用い、各支持片４１によって、上下複数本（本実施例においては、２本）のビーム部材２を支持するようにしている。
支持部材４は、鋼板、ステンレス鋼板等の金属製の板材を、コ字状に折り曲げて製作することができるが、ＦＲＰ等の成形材を用いることもできる。
これにより、上下複数本のビーム部材２を一体的に支持するようにすることができる。
なお、支持部材４は、１個の支持片４１を備え、１本のビーム部材２を支持するように構成することもできる。
【００２１】
支持部材４は、支柱３に直接固定することもできるが、本実施例においては、支持部材４の背面を、ブラケット６を介して、支柱３に固定するようにしている。
【００２２】
また、ビーム部材２の長手方向の両端にスリット２１を形成し、隣接するビーム部材２を共通の支持部材４の支持片４１によって支持するようにすることにより、隣接するビーム部材２の高さ位置を揃えて支持するようにすることができる。
【００２３】
また、図示は省略するが、ビーム部材２の長手方向の中間部にスリットを形成し、ビーム部材２を、同様に、支柱３から水平方向に延出させた板材からなる支持部材４の支持片４１によって支持するようにすることにより、長尺のビーム部材２を、ビーム部材２の長手方向の中間部において支持するようにすることができる。
【００２４】
締結部材５は、ボルト部材のほか、棒状の締結部材の端部をかしめる方式の締結部材を用いることができる。
なお、本実施例においては、上下のビーム部材２及び支持部材４の支持片４１を、個別に締結部材５により締結するようにしたが、共通の締結部材５により通しで締結するようにすることもできる。
【００２５】
本考案の木製ガードレール１によれば、従来の木製ガードレールと同様に、林業において廃材として扱われていた間伐材を有効活用できることに加え、木質の外観により周囲の景観を損ないにくい状態でガードレールを設置することが可能となるという利点を享有しながら、簡易な構造で、ビーム部材２の拘束力を、支柱３から水平方向に延出させた板材からなる支持部材４の支持片４１で面状に分散させることで、ビーム部材２に１点に集中しないように作用させることができ、これによって、大きな衝撃力にも抗し得るようにすることができる。
【００２６】
また、ビーム部材の長手方向の両端にスリットを形成し、隣接するビーム部材を共通の支持部材の支持片によって支持するようにすることができる。
【００２７】
ビーム部材の長手方向の中間部にスリットを形成し、ビーム部材を支持するようにすることができる。
【００２８】
以上、本考案の木製ガードレールについて、その実施例に基づいて説明したが、本考案は上記実施例に記載した構成に限定されるものではなく、その趣旨を逸脱しない範囲において適宜その構成を変更することができるものである。
【産業上の利用可能性】
【００２９】
本考案の木製ガードレールは、簡易な構造で、ビーム部材の拘束力を１点に集中しないように作用させることによって、大きな衝撃力にも抗し得るようにすることができることから、車道用の木製ガードレールの用途に好適に用いることができるほか、林業において廃材として扱われていた間伐材を有効活用できることに加え、木質の外観により周囲の景観を損ないにくい状態でガードレールを設置することが可能となるため、例えば、歩道用の木製ガードレールの用途にも用いることができる。
【符号の説明】
【００３０】
１  木製ガードレール
２  ビーム部材
２１  スリット
３  支柱
４  支持部材
４１  支持片
４２  連結片
５  締結部材
６  ブラケット
【図１】
0003203607.tif 000003
【図２】
0003203607.tif 000004
【図３】
0003203607.tif 000005
【図４】
0003203607.tif 000006
【図５】
0003203607.tif 000007
【図６】
0003203607.tif 000008